(57)【特許請求の範囲】
【請求項１】
隣接チャネル中での、第１および第２の無線アクセス技術（ＲＡＴ）の共存をサポートするための方法において、
サブフレームの境界と、ダウンリンク対アップリンク（ＤＬ：ＵＬ）のサブフレーム比と、フレームに対して選択されたスイッチング周期とを含む前記第１のＲＡＴの時分割デュプレクス（ＴＤＤ）フレーム構造を決定することと、
前記スイッチング周期の場合に、前記第２のＲＡＴのフレームにおいてパンクチャされるシンボルの対応する結果として得られる数に少なくとも部分的に基づいて、前記第２のＲＡＴにおける、前記ＴＤＤフレームの始まりに関するフレームオフセットとＤＬ：ＵＬのサブフレーム比とを選択することと、
前記選択したフレームオフセットとサブフレーム比とにより、前記第２のＲＡＴにおいて、フレームを送信することとを含む方法。
【請求項２】
前記第２のＲＡＴにおいてパンクチャされるシンボルの数を最小化するように、前記第２のＲＡＴにおける、前記フレームオフセットとＤＬ：ＵＬのサブフレーム比とが選択される請求項１記載の方法。
【請求項３】
前記第２のＲＡＴは、米国電気電子学会（ＩＥＥＥ）８０２．１６ｍを含む請求項２記載の方法。
【請求項４】
前記第１のＲＡＴは、進化ＵＭＴＳ（ユニバーサルモバイルテレコミュニケーションシステム）地上無線アクセス（Ｅ−ＵＴＲＡ）、または、ロングタームエボリューション−時分割デュプレクス（ＬＴＥ−ＴＤＤ）を含む請求項１記載の方法。
【請求項５】
後続する送信に対する、前記第１のＲＡＴの異なるフレーム構造を決定することをさらに含む請求項１記載の方法。
【請求項６】
隣接チャネル中での、第１および第２の無線アクセス技術（ＲＡＴ）の共存をサポートする装置において、
サブフレームの境界と、ダウンリンク対アップリンク（ＤＬ：ＵＬ）のサブフレーム比と、フレームに対して選択されたスイッチング周期とを含む前記第１のＲＡＴの時分割デュプレクス（ＴＤＤ）フレーム構造を決定する論理と、
前記スイッチング周期の場合に、前記第２のＲＡＴのフレームにおいてパンクチャされるシンボルの対応する結果として得られる数に少なくとも部分的に基づいて、前記第２のＲＡＴにおける、前記ＴＤＤフレームの始まりに関するフレームオフセットとＤＬ：ＵＬのサブフレーム比とを選択する論理と、
前記選択したフレームオフセットとサブフレーム比とにより、前記第２のＲＡＴにおいて、フレームを送信する論理とを具備する装置。
【請求項７】
前記第２のＲＡＴにおいてパンクチャされるシンボルの数を最小化するように、前記第２のＲＡＴにおける、前記フレームオフセットとＤＬ：ＵＬのサブフレーム比とが選択される請求項６記載の装置。
【請求項８】
前記第２のＲＡＴは、米国電気電子学会（ＩＥＥＥ）８０２．１６ｍを含む請求項７記載の装置。
【請求項９】
前記第１のＲＡＴは、進化ＵＭＴＳ（ユニバーサルモバイルテレコミュニケーションシステム）地上無線アクセス（Ｅ−ＵＴＲＡ）、または、ロングタームエボリューション−時分割デュプレクス（ＬＴＥ−ＴＤＤ）を含む請求項６記載の装置。
【請求項１０】
前記フレーム構造を決定する論理は、後続する送信に対する、前記第１のＲＡＴの異なるフレーム構造を決定する請求項６記載の装置。
【請求項１１】
隣接チャネル中での、第１および第２の無線アクセス技術（ＲＡＴ）の共存をサポートする装置において、
サブフレームの境界と、ダウンリンク対アップリンク（ＤＬ：ＵＬ）のサブフレーム比と、フレームに対して選択されたスイッチング周期とを含む前記第１のＲＡＴの時分割デュプレクス（ＴＤＤ）フレーム構造を決定する手段と、
前記スイッチング周期の場合に、前記第２のＲＡＴのフレームにおいてパンクチャされるシンボルの対応する結果として得られる数に少なくとも部分的に基づいて、前記第２のＲＡＴにおける、前記ＴＤＤフレームの始まりに関するフレームオフセットとＤＬ：ＵＬのサブフレーム比とを選択する手段と、
前記選択したフレームオフセットとサブフレーム比とにより、前記第２のＲＡＴにおいて、フレームを送信する手段とを具備する装置。
【請求項１２】
前記第２のＲＡＴにおいてパンクチャされるシンボルの数を最小化するように、前記第２のＲＡＴにおける、前記フレームオフセットとＤＬ：ＵＬのサブフレーム比とが選択される請求項１１記載の装置。
【請求項１３】
前記第２のＲＡＴは、米国電気電子学会（ＩＥＥＥ）８０２．１６ｍを含む請求項１２記載の装置。
【請求項１４】
前記第１のＲＡＴは、進化ＵＭＴＳ（ユニバーサルモバイルテレコミュニケーションシステム）地上無線アクセス（Ｅ−ＵＴＲＡ）、または、ロングタームエボリューション−時分割デュプレクス（ＬＴＥ−ＴＤＤ）を含む請求項１１記載の装置。
【請求項１５】
前記フレーム構造を決定する手段は、後続する送信に対する、前記第１のＲＡＴの異なるフレーム構造を決定する請求項１１記載の装置。
【請求項１６】
その上に記憶されている命令を有し、隣接チャネル中での、第１および第２の無線アクセス技術（ＲＡＴ）の共存をサポートするためのコンピュータ読取可能記憶媒体において、
前記命令は、１つ以上のプロセッサにより実行可能であり、
前記命令は、
サブフレームの境界と、ダウンリンク対アップリンク（ＤＬ：ＵＬ）のサブフレーム比と、フレームに対して選択されたスイッチング周期とを含む前記第１のＲＡＴの時分割デュプレクス（ＴＤＤ）フレーム構造を決定するための命令と、
前記スイッチング周期の場合に、前記第２のＲＡＴのフレームにおいてパンクチャされるシンボルの対応する結果として得られる数に少なくとも部分的に基づいて、前記第２のＲＡＴにおける、前記ＴＤＤフレームの始まりに関するフレームオフセットとＤＬ：ＵＬのサブフレーム比とを選択するための命令と、
前記選択したフレームオフセットとサブフレーム比とにより、前記第２のＲＡＴにおいて、フレームを送信するための命令とを含むコンピュータ読取可能記憶媒体。
【請求項１７】
前記第２のＲＡＴにおいてパンクチャされるシンボルの数を最小化するように、前記第２のＲＡＴにおける、前記フレームオフセットとＤＬ：ＵＬのサブフレーム比とが選択される請求項１６記載のコンピュータ読取可能記憶媒体。
【請求項１８】
前記第２のＲＡＴは、米国電気電子学会（ＩＥＥＥ）８０２．１６ｍを含む請求項１７記載のコンピュータ読取可能記憶媒体。
【請求項１９】
前記第１のＲＡＴは、進化ＵＭＴＳ（ユニバーサルモバイルテレコミュニケーションシステム）地上無線アクセス（Ｅ−ＵＴＲＡ）、または、ロングタームエボリューション−時分割デュプレクス（ＬＴＥ−ＴＤＤ）を含む請求項１６記載のコンピュータ読取可能記憶媒体。
【請求項２０】
前記命令は、後続する送信に対する、前記第１のＲＡＴの異なるフレーム構造を決定するための命令をさらに含む請求項１６記載のコンピュータ読取可能記憶媒体。
【発明の詳細な説明】
【優先権の主張】
【０００１】
本出願は、“改善された隣接チャネル共存のためのフレーム構造”と題し、２００８年１１月１４日に出願され、本出願の譲受人に譲渡され、あらゆる目的に対する参照によりここにすべて組み込まれている米国仮特許出願第６１／１１４，６６８号からの優先権の利益を主張する。
【技術分野】
【０００２】
本開示のある実施形態は、一般的にワイヤレス通信に関連し、さらに詳細に述べると、第２の無線アクセス技術（ＲＡＴ）によりサポートされた第２のネットワークと共存させるための、第１のＲＡＴによりサポートされたネットワークに対するフレーム構造を規定することに関連している。
【概要】
【０００３】
本開示のある実施形態は、隣接チャネル中での、第１および第２の無線アクセス技術（ＲＡＴ）の共存をサポートするための方法を提供する。方法は、一般的に、サブフレームの境界と、ダウンリンク対アップリンク（ＤＬ：ＵＬ）のサブフレーム比と、スイッチング周期とを含む第１のＲＡＴのフレーム構造を決定することと、このスイッチング周期の場合に、第２のＲＡＴにおいてパンクチャされるシンボルの対応する結果として得られる数に少なくとも部分的に基づいて、第２のＲＡＴにおける、フレームオフセットとＤＬ：ＵＬのサブフレーム比とを選択することと、選択したフレームオフセットとサブフレーム比とにより、第２のＲＡＴにおいて、フレームを送信することとを含む。
【０００４】
本開示のある実施形態は、隣接チャネル中での、第１および第２の無線アクセス技術（ＲＡＴ）の共存をサポートする装置を提供する。装置は、一般的に、サブフレームの境界と、ダウンリンク対アップリンク（ＤＬ：ＵＬ）のサブフレーム比と、スイッチング周期とを含む第１のＲＡＴのフレーム構造を決定する論理と、このスイッチング周期の場合に、第２のＲＡＴにおいてパンクチャされるシンボルの対応する結果として得られる数に少なくとも部分的に基づいて、第２のＲＡＴにおける、フレームオフセットとＤＬ：ＵＬのサブフレーム比とを選択する論理と、選択したフレームオフセットとサブフレーム比とにより、第２のＲＡＴにおいて、フレームを送信する論理とを具備する。
【０００５】
本開示のある実施形態は、隣接チャネル中での、第１および第２の無線アクセス技術（ＲＡＴ）の共存をサポートする装置を提供する。装置は、一般的に、サブフレームの境界と、ダウンリンク対アップリンク（ＤＬ：ＵＬ）のサブフレーム比と、スイッチング周期とを含む第１のＲＡＴのフレーム構造を決定する手段と、このスイッチング周期の場合に、第２のＲＡＴにおいてパンクチャされるシンボルの対応する結果として得られる数に少なくとも部分的に基づいて、第２のＲＡＴにおける、フレームオフセットとＤＬ：ＵＬのサブフレーム比とを選択する手段と、選択したフレームオフセットとサブフレーム比とにより、第２のＲＡＴにおいて、フレームを送信する手段とを具備する。
【０００６】
本開示のある実施形態は、隣接チャネル中での、第１および第２の無線アクセス技術（ＲＡＴ）の共存をサポートするためのコンピュータプログラムプロダクトを提供する。このコンピュータプログラムプロダクトは、その上に記憶されている命令を有するコンピュータ読取可能媒体を具備する。この命令は、１つ以上のプロセッサにより実行可能である。この命令は、サブフレームの境界と、ダウンリンク対アップリンク（ＤＬ：ＵＬ）のサブフレーム比と、スイッチング周期とを含む第１のＲＡＴのフレーム構造を決定するための命令と、このスイッチング周期の場合に、第２のＲＡＴにおいてパンクチャされるシンボルの対応する結果として得られる数に少なくとも部分的に基づいて、第２のＲＡＴにおける、フレームオフセットとＤＬ：ＵＬのサブフレーム比とを選択するための命令と、選択したフレームオフセットとサブフレーム比とにより、第２のＲＡＴにおいて、フレームを送信するための命令とを含む。
【図面の簡単な説明】
【０００７】
本開示の特徴を詳細に理解できるように、上記において簡潔に要約したものをより特定した説明が、実施形態の参照により得られる。いくつかの実施形態は、添付した図面中に図示されている。しかしながら、添付した図面は、本開示のある典型的な実施形態のみを図示していて、それゆえ、本開示の範囲の制限としてみなされるべきではなく、説明のために、他の同等に効果的な実施形態が認められてもよいことに留意すべきである。
【図１】図１は、本開示のある実施形態にしたがった例示的なワイヤレス通信システムを図示している。
【図２】図２は、本開示のある実施形態にしたがったワイヤレスデバイス中で利用されてもよいさまざまなコンポーネントを図示している。
【図３】図３は、本開示のある実施形態にしたがった、直交周波数分割多重化／直交周波数分割多元接続（ＯＦＤＭ／ＯＦＤＭＡ）技術を利用するワイヤレス通信システム内で使用されてもよい、例示的な送信機および例示的な受信機を図示している。
【図４】図４は、既存の米国電気電子学会（ＩＥＥＥ）８０２．１６ｍ標準規格にしたがった、２つのネットワークの共存をサポートするための、ロングタームエボリューション−時分割デュプレクス（ＬＴＥ−ＴＤＤ）ネットワークにおけるフレームと、ＩＥＥＥ８０２．１６ｍネットワークにおけるフレームとの間のフレーム整列の２つの例を図示している。
【図５】図５は、ＬＴＥ−ＴＤＤフレーム構造の例を図示している。
【図６】図６は、ＬＴＥ−ＴＤＤ標準規格におけるフレーム中のダウンリンク／アップリンク（ＤＬ／ＵＬ）のコンフィギュレーションの例示的なリストを図示している。
【図７】図７は、本開示のある実施形態にしたがった、別の無線アクセス技術（ＲＡＴ）を利用するシステムと隣接チャネル中で共存させるように、ＲＡＴを利用するシステムを構成するために必要な例示的な動作を図示している。
【図７Ａ】図７Ａは、図７の例示的な動作に対応する手段のブロックダイヤグラムである。
【図８】図８は、本開示のある実施形態にしたがった、ＬＴＥ−ＴＤＤ標準規格の０番目のフレームコンフィギュレーションを利用するフレームと隣接チャネル中で共存させるために、ＩＥＥＥ８０２．１６ｍネットワーク中のフレームに対して計算された、フレームオフセットとＤＬ：ＵＬのサブフレーム比との例を図示している。
【図９】図９は、本開示のある実施形態にしたがった、フレームオフセットとＤＬ：ＵＬのサブフレーム比との例を図示している。
【図１０】図１０は、本開示のある実施形態にしたがった、ＬＴＥ−ＴＤＤ標準規格の２番目のフレームコンフィギュレーションを利用するフレームと隣接チャネル中で共存させるために、ＩＥＥＥ８０２．１６ｍネットワーク中のフレームに対して計算された、フレームオフセットとＤＬ：ＵＬのサブフレーム比との例を図示している。
【詳細な説明】
【０００８】
図面を参照して、ある実施形態をここで記述している。同一の参照番号は、全体を通して、同一のエレメントのことを指すために使用している。下記の記述において、説明の目的として、ある実施形態の完全な理解を提供するために、数々の特有な詳細を述べている。しかしながら、これらの特有な詳細なしで、このような実施形態を実施できることがある。他の例では、ある実施形態の記述を促進するために、ブロックダイヤグラムの形態で、よく知られている構造およびデバイスを示している。
【０００９】
米国電気電子学会（ＩＥＥＥ）８０２．１６ｍのような、第１の無線アクセス技術（ＲＡＴ）によりサポートされているネットワークを、他のＲＡＴをサポートする他のワイヤレスネットワークと同じ地理的エリアにおいて、または、他のＲＡＴをサポートする他のワイヤレスネットワークとオーバーラップしている地理的エリアにおいて、用いてもよい。ＩＥＥＥ８０２．１６ｍシステム記述文書（ＳＤＤ）中には、時分割デュプレクス（ＴＤＤ）モードでの、進化ＵＭＴＳ（ユニバーサルモバイルテレコミュニケーションシステム）地上無線アクセス（Ｅ−ＵＴＲＡ）標準規格との隣接チャネル共存がサポートされている。Ｅ−ＵＴＲＡは、移動体ネットワークに対するロングタームエボリューション（ＬＴＥ）アップグレードパスのためのエアインターフェースである。ＬＴＥは、将来の技術進化に対処するために、ＵＭＴＳ移動体電話機標準規格を改善させるための、第三世代パートナーシッププロジェクト（３ＧＰＰ）内のプロジェクトである。
【００１０】
アイドルシンボルまたはサブフレームのいずれかをＩＥＥＥ８０２．１６ｍフレームに挿入することと、フレームオフセットを構成することとにより、他のＲＡＴとの隣接チャネル共存を促進してもよい。さらに、ＩＥＥＥ８０２．１６ｍ標準規格は、システム間干渉を最小化するためのシンボルパンクチャリングをサポートする。
【００１１】
ＩＥＥＥ８０２．１６ｍＳＤＤは、ＬＴＥ−ＴＤＤネットワークにおけるフレームとの隣接チャネル共存のために、ＩＥＥＥ８０２．１６ｍネットワークにおけるフレームの、ＴＤＤパーティションまたはオフレームフセットのような詳細を指定していない。ＴＤＤパーティションまたはフレームオフセットが適切に選ばれない場合には、ＩＥＥＥ８０２．１６ｍフレーム中の多くのシンボルをパンクチャしなければならないかもしれず、これは、システムの効率性を減少させる。
【００１２】
例示的なワイヤレス通信システム
ここに記述する技術は、直交多重化スキームに基づく通信システムを含む、さまざまなブロードバンドワイヤレス通信システムに対して使用してもよい。このような通信システムの例には、直交周波数分割多元接続（ＯＦＤＭＡ）システムや、単一搬送波周波数分割多元接続（ＳＣ−ＦＤＭＡ）システムなどを含む。ＯＦＤＭＡシステムは、直交周波数分割多重化（ＯＦＤＭ）を利用する。直交周波数分割多重化（ＯＦＤＭ）は、システム帯域幅全体を複数の直交副搬送波にパーティションする近代技術である。これらの副搬送波は、トーンや、ビンなどとも呼ばれる。ＯＦＤＭにより、各副搬送波は、データにより独立して変調されてもよい。ＳＣ−ＦＤＭＡシステムは、システム帯域幅を通して分散されている副搬送波上で送信するために、インターリーブされたＦＤＭＡ（ＩＦＤＭＡ）を利用してもよく、隣接副搬送波のブロックの上で送信するために、局所的なＦＤＭＡ（ＬＦＤＭＡ）を利用してもよく、または、隣接副搬送波の複数のブロック上で送信するために、進化ＦＤＭＡ（ＥＦＤＭＡ）を利用してもよい。一般的に、変調シンボルは、ＯＦＤＭにより周波数ドメイン中で送られ、ＳＣ−ＦＤＭＡにより時間ドメイン中で送られる。
【００１３】
直交多重化スキームに基づく通信システムの１つの例は、ＷｉＭＡＸシステムである。マイクロ波アクセスに対するワールドワイドインターオペラビリティを意味する、ＷｉＭＡＸは、長距離にわたって高スループットブロードバンド接続を提供する標準規格ベースのブロードバンドワイヤレス技術である。今日、ＷｉＭＡＸの２つの主アプリケーションがある：固定ＷｉＭＡＸおよびモバイルＷｉＭＡＸである。固定ＷｉＭＡＸアプリケーションは、例えば住宅および企業へのブロードバンドアクセスを可能にする、１つのポイントから複数のポイントへのものである。モバイルＷｉＭＡＸは、ＯＦＤＭおよびＯＦＤＭＡに基づいており、ブロードバンドスピードにおけるセルラネットワークの完全移動性を提案する。
【００１４】
ＩＥＥＥ８０２．１６は、固定および移動ブロードバンドワイヤレスアクセス（ＢＷＡ）システムに対するエアインターフェースを規定するための新興標準規格団体である。これらの標準規格は少なくとも４つの異なる物理レイヤ（ＰＨＹ）および１つのメディアアクセス制御（ＭＡＣ）レイヤを規定している。４つの物理レイヤのうちのＯＦＤＭ物理レイヤおよびＯＦＤＭＡ物理レイヤは、それぞれ固定および移動ＢＷＡエリアにおいて最も普及している。
【００１５】
図１は、本開示の実施形態が用いられるワイヤレス通信システム１００の例を図示している。ワイヤレス通信システム１００は、ブロードバンドワイヤレス通信システムであってもよい。ワイヤレス通信システム１００は、多数のセル１０２に対する通信を提供してもよく、それぞれのセル１０２は基地局１０４によりサービスされる。基地局１０４は、ユーザ端末１０６と通信する固定局であってもよい。基地局１０４は代わりに、アクセスポイント、ノードＢまたはいくつかの他の専門用語として言及されることがある。
【００１６】
図１は、システム１００全体にわたって分散されているさまざまなユーザ端末１０６を描写している。ユーザ端末１０６は固定の（すなわち、静的な）または移動性のものであってもよい。ユーザ端末１０６は代わりに、遠隔局や、アクセス端末や、端末や、加入者ユニットや、移動局や、局や、ユーザ機器などとして言及されることがある。ユーザ端末１０６は、セルラ電話機や、パーソナルデジタルアシスタント（ＰＤＡ）や、ハンドヘルドデバイスや、ワイヤレスモデムや、ラップトップコンピュータや、パーソナルコンピュータなどのような、ワイヤレスデバイスであってもよい。
【００１７】
ワイヤレス通信デバイス１００中における、基地局１０４とユーザ端末１０６との間の送信に対して、さまざまなアルゴリズムおよび方法を使用してもよい。例えば、信号は、ＯＦＤＭ／ＯＦＤＭＡ技術にしたがって、基地局１０４とユーザ端末１０６との間で送信および受信してもよい。このケースである場合、ワイヤレス通信システム１００はＯＦＤＭ／ＯＦＤＭＡシステムとして言及されることがある。
【００１８】
基地局１０４からユーザ端末１０６への送信を促進する通信リンクは、ダウンリンク１０８として言及され、ユーザ端末１０６から基地局１０４への送信を促進する通信リンクは、アップリンク１１０として言及されることがある。代わりに、ダウンリンク１０８は、フォワードリンクまたはフォワードチャネルとして言及され、アップリンク１１０は、リバースリンクまたはリバースチャネルとして言及されることがある。
【００１９】
セル１０２は複数のセクター１１２に分割してもよい。セクター１１２は、セル１０２内の物理的なカバレッジエリアである。ワイヤレス通信システム１００内の基地局１０４は、セル１０２の特定のセクター１１２内に電力フローを集中させるアンテナを利用してもよい。このようなアンテナは、指向性アンテナとして言及されることがある。
【００２０】
図２は、ワイヤレス通信システム１００内で用いられるワイヤレスデバイス２０２中で利用してもよいさまざまなコンポーネントを図示している。ワイヤレスデバイス２０２は、ここで説明するさまざまな方法を実現するように構成されているデバイスの例である。ワイヤレスデバイス２０２は、基地局１０４またはユーザ端末１０６であってもよい。
【００２１】
ワイヤレスデバイス２０２は、ワイヤレスデバイス２０２の動作を制御するプロセッサ２０４を具備していてもよい。プロセッサ２０４はまた、中央処理装置（ＣＰＵ）としても言及されることがある。リードオンリーメモリ（ＲＯＭ）とランダムアクセスメモリ（ＲＡＭ）との双方を含んでいてもよいメモリ２０６は、プロセッサ２０４に命令およびデータを提供する。メモリ２０６の一部分はまた、不揮発性ランダムアクセスメモリ（ＮＶＲＡＭ）を含んでいてもよい。プロセッサ２０４は、メモリ２０６内に記憶されているプログラム命令に基づいた論理的動作および算術動作を実行する。メモリ２０６中の命令は、ここに説明する方法を実現するために実行可能であってもよい。
【００２２】
ワイヤレスデバイス２０２はまた、ワイヤレスデバイス２０２と遠隔位置との間のデータの送信および受信を可能にする送信機２１０および受信機２１２を備えていてもよいハウジング２０８を具備していてもよい。送信機２１０および受信機２１２は、組み合わせて、トランシーバ２１４にしてもよい。アンテナ２１６は、ハウジング２０８に取り付けてもよく、電気的にトランシーバ２１４に結合してもよい。ワイヤレスデバイス２０２はまた、（示していない）複数の送信機、複数の受信機、複数のトランシーバ、および／または、複数のアンテナを具備していてもよい。
【００２３】
ワイヤレスデバイス２０２はまた、トランシーバ２１４により受信した信号のレベルを検出して、定量化する際に使用してもよい信号検出器２１８を具備していてもよい。信号検出器２１８は、このような信号を、総エネルギーや、擬似ノイズ（ＰＮ）チップ当たりのパイロットエネルギーや、電力スペクトル密度や、他の信号として検出してもよい。ワイヤレスデバイス２０２はまた、信号を処理する際に使用するためのデジタル信号プロセッサ（ＤＳＰ）２２０を具備していてもよい。
【００２４】
ワイヤレスデバイス２０２のさまざまなコンポーネントは、データバスに加えて、電力バスと、制御信号バスと、ステータス信号バスとを含んでもよいバスシステム２２２により互いに結合してもよい。
【００２５】
図３は、ＯＦＤＭ／ＯＦＤＭＡを利用するワイヤレス通信システム１００内で使用してもよい送信機３０２の例を図示している。送信機３０２の一部分は、ワイヤレスデバイス２０２の送信機２１０中で実現してもよい。送信機３０２は、ダウンリンク１０８上でユーザ端末１０６にデータ３０６を送信するために、基地局１０４中で実現してもよい。送信機３０２はまた、アップリンク１１０上で基地局１０４にデータ３０６を送信するために、ユーザ端末１０６中で実現してもよい。
【００２６】
送信されるべきデータ３０６は、シリアルパラレル（Ｓ／Ｐ）コンバータ３０８への入力として提供されるように示している。Ｓ／Ｐコンバータ３０８は、送信データをＮ個のパラレルデータストリーム３１０に分ける。
【００２７】
Ｎ個のパラレルデータストリーム３１０はその後、マッパー３１２への入力として提供される。マッパー３１２は、Ｎ個のパラレルデータストリーム３１０をＮ個の配列点上にマッピングする。マッピングは、２位相シフトキーイング（ＢＰＳＫ）や、４位相シフトキーイング（ＱＰＳＫ）や、８位相シフトキーイング（８ＰＳＫ）や、直角位相振幅変調（ＱＡＭ）などのような、いくつかの変調配列を使用して行ってもよい。したがって、マッパー３１２はＮ個のパラレルシンボルストリーム３１６を出力し、それぞれのシンボルストリーム３１６は、高速逆フーリエ変換（ＩＦＦＴ）３２０のＮ個の直交副搬送波のうちの１つに対応している。これらのＮ個のパラレルシンボルストリーム３１６は、周波数ドメインで表され、ＩＦＦＴコンポーネント３２０により、Ｎ個のパラレル時間ドメインサンプルストリーム３１８にコンバートされる。
【００２８】
ここで専門用語についての簡潔な注記を提供する。周波数ドメインにおけるＮ個のパラレル変調は、周波数ドメインにおけるＮ個の変調シンボルに等しく、周波数ドメインにおけるＮ個の変調シンボルは、周波数ドメインにおけるＮ個のマッピングおよびＮポイントＩＦＦＴに等しく、周波数ドメインにおけるＮ個のマッピングおよびＮポイントＩＦＦＴは、時間ドメインにおける１個の（有用な）ＯＦＤＭシンボルに等しく、時間ドメインにおける１個の（有用な）ＯＦＤＭシンボルは、時間ドメインにおけるＮ個のサンプルに等しい。時間ドメインにおける１個のＯＦＤＭシンボルＮsは、Ｎcp（ＯＦＤＭシンボル当たりのガードサンプルの数）＋Ｎ（ＯＦＤＭシンボル当たりの有用なサンプルの数）に等しい。
【００２９】
Ｎ個のパラレル時間ドメインサンプルストリーム３１８は、パラレルシリアル（Ｐ／Ｓ）コンバータ３２４により、ＯＦＤＭ／ＯＦＤＭＡシンボルストリーム３２２にコンバートされる。ガード挿入コンポーネント３２６は、ＯＦＤＭ／ＯＦＤＭＡシンボルストリーム３２２中の連続するＯＦＤＭ／ＯＦＤＭＡシンボル間にガード間隔を挿入する。ガード挿入コンポーネント３２６の出力はその後、無線周波数（ＲＦ）フロントエンド３２８により、所望の送信周波数帯域にアップコンバートされる。アンテナ３３０はその後、結果として得られる信号３３２を送信する。
【００３０】
図３はまた、ＯＦＤＭ／ＯＦＤＭＡを利用するワイヤレスデバイス２０２内で使用してもよい受信機３０４の例を図示している。受信機３０４の一部分は、ワイヤレスデバイス２０２の受信機２１２中で実現してもよい。受信機３０４は、ダウンリンク１０８上で基地局１０４からデータ３０６を受信するために、ユーザ端末１０６中で実現してもよい。受信機３０４はまた、アップリンク１１０上でユーザ端末１０６からデータ３０６を受信するために、基地局１０４中で実現してもよい。
【００３１】
送信信号３２２は、ワイヤレスチャネル３３４を通して伝わるように示している。信号３３２’がアンテナ３３０’により受信されるとき、受信信号３２２’は、ＲＦフロントエンド３２８’によりベースバンド信号にダウンコンバートされる。ガード除去コンポーネント３２６’はその後、ガード挿入コンポーネント３２６により、ＯＦＤＭ／ＯＦＤＭＡシンボル間に挿入されたガード間隔を除去する。
【００３２】
ガード除去コンポーネント３２６’の出力は、Ｓ／Ｐコンバータ３２４’に提供される。Ｓ／Ｐコンバータ３２４’は、ＯＦＤＭ／ＯＦＤＭＡシンボルストリーム３２２’をＮ個のパラレル時間ドメインシンボルストリーム３１８’に分割する。Ｎ個のパラレル時間ドメインシンボルストリーム３１８’のそれぞれは、Ｎ個の直交副搬送波のうちの１つに対応している。高速フーリエ変換（ＦＦＴ）コンポーネント３２０’は、Ｎ個のパラレル時間ドメインシンボルストリーム３１８’を周波数ドメインにコンバートし、Ｎ個のパラレル周波数ドメインシンボルストリーム３１６’を出力する。
【００３３】
デマッパー３１２’は、マッパー３１２により実行したシンボルマッピング動作の逆を実行し、これにより、Ｎ個のパラレルデータストリーム３１０’を出力する。Ｐ／Ｓコンバータ３０８’はＮ個のパラレルデータストリーム３１０’を単一データストリーム３０６’に組み合わせる。理想的には、このデータストリーム３０６’は、送信機３０２への入力として提供されたデータ３０６に対応する。エレメント３０８’、３１０’、３１２’、３１６’、３２０’、３１８’および３２４’はすべて、ベースバンドプロセッサ３４０’中に見い出されてもよいことに留意されたい。
【００３４】
改善された隣接チャネル共存のための例示的なフレーム構造
ＩＥＥＥ８０２．１６ｍのような、無線アクセス技術（ＰＡＴ）によってサポートされているネットワークを、他のＲＡＴをサポートしている他のワイヤレスネットワークと同じ地理的エリアにおいて、または、他のＲＡＴをサポートしている他のワイヤレスネットワークとオーパーラップしている地理的エリアにおいて、用いてもよい。ＩＥＥ８０２．１６ｍネットワークが用いられることが予期される周波数帯域に基づいて、異なる共存シナリオが可能である。例えば、ＩＥＥＥ８０２．１６ｍシステム記述文書（ＳＤＤ）中では、ＴＤＤモードでの、Ｅ−ＵＴＲＡ（ＣＤＭＡ ＴＤＤ）ネットワークとＵＴＲＡ低チップレート（ＬＣＲ）ネットワークとの隣接チャネル共存がサポートされている。
【００３５】
図４は、ＬＴＥ−ＴＤＤ標準規格における、ＴＤＤモードでのフレームの例示的な構造を図示している。図示されているように、各１０ｍｓ無線フレーム４０２は、２個の５ｍｓハーフフレーム４０４に分割されている。各ハーフフレームは、１０個のサブフレーム４０８からなる。ＬＴＤ−ＴＤＤフレームは特殊フレーム（Ｓ）を含む。特殊フレーム（Ｓ）は、３つのパート：ダウンリンクパイロット時間スロット（ＤｗＰＴＳ）４１０と、ガード期間（ＧＰ）４１２と、アップリンクパイロット時間スロット（ＵｐＰＴＳ）４１４とを含む。ガード期間（ＧＰ）は、ダウンリンク送信とアップリンク送信との間でスイッチするときに、基地局対基地局の干渉を回避するために、サイト間距離の伝播遅延に対処する。フィールドＤｗＰＴＳと、ＧＰと、ＵｐＰＴＳとは、それぞれ、例えば、３〜１２個の、１〜１０個の、および１〜２個のＯＦＤＭシンボルにまたがる。
【００３６】
図５は、ＩＥＥＥ８０２．１６ｍＳＤＤ中で提供されている、ＬＴＤ−ＴＤＤネットワークとＩＥＥＥ８０２．１６ｍネットワークとの間での隣接チャネル共存の２つの例を図示している。ＬＴＥ−ＴＤＤフレームは、２個のハーフフレーム５０２に分割することができる。各フレームは、ダウンリンク５１２およびアップリンク５１０のサブフレームと、ＤｗＰＴＳ５０２、ＧＰ５０６、およびＵｐＰＴＳ５０８のフィールドとを含む。ＩＥＥＥ８０２．１６ｍフレーム５１６は、２つの異なる例示的なシナリオにおいて、ＬＴＥ−ＴＤＤフレームと共存することがある。第１の例示的なシナリオ５１４において、ＩＥＥＥ８０２．１６ｍＴＤＤフレームを、ＬＴＥ−ＴＤＤフレーム中の連続するダウンリンク（ＤＬ）サブフレーム５１２のスターティングポイントと整列させてもよい。第２の例示的なシナリオ５２２において、ＩＥＥＥ８０２．１６ｍアップリンク（ＵＬ）フレームを、ＬＴＥ−ＴＤＤフレーム中のアップリンクパイロット時間スロット（ＵｐＰＴＳ）５０８フィールドのスターティングポイントと整列させてもよい。
【００３７】
フレームオフセット５２０、５２４は、ＬＴＥ−ＴＤＤフレームの始まりに関する、ＩＥＥＥ８０２．１６ｍフレームの始まりの遅延である。ＩＥＥＥ８０２．１６ｍシステムにおける、サブフレームサイズおよびＤＬ／ＵＬのコンフィギュレーション期間と、ＬＴＥ−ＴＤＤシステムにおける、サブフレームサイズおよびＤＬ／ＵＬのコンフィギュレーション期間とが異なることから、２個のフレーム中における、ＤＬ領域とＵＬ領域とを整列させるために、いくつかのＤＬシンボルおよびＵＬシンボルが、パンクチャされる５１８、５２６。パンクチャすることで、すなわち、シンボルのうちのいくつかを削除することで、２つの隣接チャネル中での、同時のＤＬ送信およびＵＬ送信を防ぐことにより、ＩＥＥＥ８０２．１６ｍシステムとＬＴＥ−ＴＤＤシステムとの間のシステム間干渉を減少させる。ＩＥＥＥ８０２．１６ｍシステムのスペクトルの効率性を維持するために、ＩＥＥＥ８０２．１６ｍフレーム中でパンクチャされるシンボルの数を最小化すべきである。
【００３８】
図５中に図示されているように、アイドルシンボルまたはサブフレームのいずれかをＩＥＥＥ８０２．１６ｍフレームに挿入することと、フレームオフセットを構成することとにより、他のＲＡＴとの隣接チャネル共存を促進してもよい。さらに、ＩＥＥＥ８０２．１６ｍ標準規格は、システム間干渉を最小化するためのシンボルパンクチャリングをサポートする。
【００３９】
ＩＥＥＥ８０２．１６ｍＳＤＤは、ＬＴＥ−ＴＤＤネットワークにおけるフレームとの隣接チャネル共存のために、ＩＥＥＥ８０２．１６ｍネットワークにおけるフレームの、ＴＤＤパーティションまたはオフレームフセットのような詳細を指定していない。ＴＤＤパーティションまたはフレームオフセットが適切に選ばれない場合には、ＩＥＥＥ８０２．１６ｍフレーム中の多くのシンボルをパンクチャしなければならないかもしれず、これは、システムの効率性を減少させる。
【００４０】
図６は、ＬＴＥ標準規格にしたがった、ＬＴＥ−ＴＤＤフレーム中のダウンリンク／アップリンクのコンフィギュレーションの例示的なリストを図示している。この表の中で、Ｄ、Ｕ、およびＳは、それぞれダウンリンクサブフレーム、アップリンクサブフレーム、および特殊サブフレームを示している。特殊サブフレームＳは、ＤｗＰＴＳ、ＧＰ、およびＵｐＰＴＳのフィールドからなることがある。図示されているように、ＬＴＥ−ＴＤＤフレームに対して、５ｍｓスイッチポイント周期用と１０ｍｓスイッチポイント周期用のいくつかのＤＬ／ＵＬのコンフィギュレーションが選ばれてもよい。コンフィギュレーション０、１、および２は、１０ｍｓＬＴＥ−ＴＤＤフレーム内に２個の同一の５ｍｓハーフフレームを持つ。
【００４１】
本開示のある実施形態にしたがうと、ＬＴＥ−ＴＤＤフレームのコンフィギュレーション０から６のそれぞれに対して、ＩＥＥＥ８０２．１６ｍフレームとＬＴＥ−ＴＤＤフレームとの間の最良な整列のために、パンクチャされるシンボルの数を最小化する最適オフセット値が選ばれる。ＩＥＥＥ８０２．１６ｍフレーム中のパンクチャされるシンボルのオーバーヘッドを最小化するように、ＩＥＥＥ８０２．１６ｍフレームに対する、ダウンリンクのサブフレームの数とアップリンクのサブフレームの数との間の比（ＤＬ：ＵＬ）が、ＬＴＥ−ＴＤＤフレームのＤＬ：ＵＬ比に関して選ばれるべきである。
【００４２】
本開示のある実施形態では、５ｍｓスイッチ−ポイント周期を有するＬＴＥ−ＴＤＤコンフィギュレーションに対して、ＩＥＥＥ８０２．１６ｍのスイッチングポイントは、ＬＴＥネットワークにおけるガード期間（ＧＰ）に一致してもよい。したがって、ＩＥＥＥ８０２．１６ｍフレーム中のＵＬは、ＬＴＥ−ＴＤＤネットワークにおけるＵｐＰＴＳフィールドと同時に、または、ＬＴＥ−ＴＤＤネットワークにおけるＵｐＰＴＳフィールドより後に、始まってもよい。
【００４３】
図７は、本開示のある実施形態にしたがった、異なる無線アクセル技術（ＲＡＴ）を利用するネットワークと隣接チャネル中で共存するように、ＲＡＴを利用するネットワークを構成するのに必要とされる例示的な動作を図示している。ある実施形態において、第１のＲＡＴは、ＬＴＥ−ＴＤＤネットワークであってもよい。また、いくつかの実施形態では、第２のＲＡＴは、ＩＥＥＥ８０２．１６ｍネットワークであってもよい。
【００４４】
図７中で図示されているように、７０２において、第１のＲＡＴのフレーム構造を決定する。例えば、第１のＲＡＴにおける、サブフレームの境界と、ＤＬ：ＵＬのサブフレーム比と、フレームコンフィギュレーションと、スイッチング周期とを決定する。７０４において、第２のＲＡＴに対して、フレームオフセットとＵＬ：ＵＬのサブフレーム比とを選択する。第２のＲＡＴにおいてパンクチャされるシンボルの数を最小化するように、フレームオフセットとＵＬ：ＵＬのサブフレーム比とを選択する。いったん第２のＲＡＴにおいてフレーム構造を選択すると、７０６において示されているように、第２のＲＡＴは、選択したフレーム構造を使用して、フレームを送信する。上記の動作により、最小限のオーバーヘッドでの、隣接チャネル中の２つのＲＡＴの共存が確実になる。
【００４５】
ある実施形態において、ＩＥＥＥ８０２．１６ｍＯＦＤＭＡシンボルの長さは、１０２．８μｓであってもよく、ＬＴＥ−ＴＤＤシンボルの長さは、７１μｓであってもよい。それゆえに、ＬＴＥ−ＴＤＤフレームにおけるサブフレームとＩＥＥＥ８０２．１６ｍフレームにおけるサブフレームとの境界において、不一致が存在することがある。２つの隣接ネットワーク間の干渉を最小化するために、２つの隣接チャネル中での、同時のアップリンクおよびダウンリンク送信を回避すべきである。ここで、同時のアップリンクおよびダウンリンク送信は、同時の、１つのＲＡＴにおけるアップリンク送信および別のＲＡＴにおけるダウンリンク送信のことを指している。ＩＥＥＥ８０２．１６ｍにおけるＯＦＤＭシンボルをパンクチャすることにより、２つの隣接チャネル中で、同時のダウンリンクおよびアップリンク送信を起こさないことが確実になる。パンクチャされるシンボルの数を最小化するために、ＩＥＥＥ８０２．１６フレームの最適なＤＬ：ＵＬ比を、ＬＴＥ ＴＤＤフレームコンフィギュレーションのそれぞれに関して選ばなければならない。
【００４６】
図８は、本開示のある実施形態にしたがって、ＬＴＥ−ＴＤＤフレームの０番目のコンフィギュレーションを利用するフレームと隣接チャネル中で共存させるための、ＩＥＥＥ８０２．１６ｍフレーム用の、例示的なフレームオフセットとＤＬ：ＵＬのサブフレーム比とを図示している。図８に図示されているように、０番目のフレームコンフィギュレーションを有するＬＴＥ−ＴＤＤフレーム８０２は、図６の表にしたがった、サブフレームのそれぞれに対してある位置を有する、ＤＬ８０６、Ｓ８０８、およびＵＬ８１０のサブフレームからなる。ある実施形態では、最小限のオーバーヘッドで、ＬＴＥ−ＴＤＤフレームの０番目のコンフィギュレーションと共存させるために、ＩＥＥＥ８０２．１６ｍフレーム８０４に対して、５ｍｓに等しいフレームオフセット８１２と、３：５のＤＬ：ＵＬのサブフレーム比とを使用してもよい。３：５フレーム構造では、ＩＥＥＥ８０２．１６ｍフレーム中のシンボルのうちの１個もパンクチャされない。ダウンリンク８１４およびアップリンク８１６のサブフレーム間でのＴＤＤスイッチを促進するためには、ＩＥＥＥ８０２．１６ｍフレーム中には１個のアイドルシンボル８１８があるだけでよい。ここで使用されるように、用語「アイドルシンボル」は、一般的に、他のＲＡＴとの共存問題にかかわらず、８０２．１６ｍにより送信されないように既に設定されているシンボルのことを指している（すなわち、このシンボルは、８０２．１６ｍ送信に対してパンクチャされることになる）。ここで使用されるように、用語「パンクチャされるシンボル」は、一般的に、２つのＲＡＴの共存のためにパンクチャされるシンボルのことを指している。
【００４７】
図９は、本開示のある実施形態にしたがって、ＬＴＥ−ＴＤＤフレームの１番目のコンフィギュレーションを利用するフレームと隣接チャネル中で共存させるための、ＩＥＥＥ８０２．１６ｍフレーム用の、例示的なフレームオフセットとＤＬ：ＵＬのサブフレーム比とを図示している。図９に図示されているように、１番目のフレームコンフィギュレーションを有するＬＴＥ−ＴＤＤフレーム９０２は、図６の表にしたがった、サブフレームのそれぞれに対してある位置を有する、ＤＬ９０６、Ｓ９０８、およびＵＬ９１０のサブフレームからなる。ある実施形態では、最小限のオーバーヘッドで、ＬＴＥ−ＴＤＤフレームの１番目のコンフィギュレーションと共存させるために、ＩＥＥＥ８０２．１６ｍフレーム９０４に対して、４ｍｓに等しいフレームオフセット９１２と、５：３のＤＬ：ＵＬのサブフレーム比とを使用してもよい。５：３フレーム構造では、９１８において、ダウンリンク９１４およびアップリンク９１６のサブフレーム間でのＴＤＤスイッチを促進するために、ＩＥＥＥ８０２．１６ｍフレーム中の２個のＤＬシンボルをパンクチャし、１個のアイドルＤＬシンボルを挿入してもよい。他のＤＬ：ＵＬ比を利用すると、結果として、オーバーヘッドがより多くなる。例えば、４：４のＤＬ：ＵＬ比を利用するには、ＬＴＥ−ＴＤＤの１番目のコンフィギュレーションを使用するフレームと共存させるために、ＩＥＥＥ８０２．１６ｍフレーム中で４個のパンクチャされるＵＬシンボルを必要とするかもしれない。
【００４８】
図１０は、本開示のある実施形態にしたがって、ＬＴＥ−ＴＤＤフレームの２番目のコンフィギュレーションを利用するフレームと共存させるための、ＩＥＥＥ８０２．１６ｍ用の、例示的なフレームオフセットとＤＬ：ＵＬのサブフレーム比とを図示している。図１０に図示されているように、２番目のフレームコンフィギュレーションを有するＬＴＥ−ＴＤＤフレーム１００２は、図６の表にしたがった、サブフレームのそれぞれに対してある位置を有する、ＤＬ１００６、Ｓ１００８、およびＵＬ１０１０のサブフレームからなる。ある実施形態では、最小限のオーバーヘッドで、ＬＴＥ−ＴＤＤフレームの２番目のコンフィギュレーションと共存させるために、ＩＥＥＥ８０２．１６ｍフレーム１００４に対して、３ｍｓに等しいフレームオフセット１０１２と、６：２のＤＬ：ＵＬのサブフレーム比とを利用してもよい。６：２フレーム構造では、１０１８において、ダウンリンク１０１４およびアップリンク１０１６のサブフレームを、ＬＴＥ−ＴＤＤフレーム中の、ダウンリンクおよびアップリンクのサブフレームと整列させるためには、ＩＥＥＥ８０２．１６ｍフレーム中には１個または２個のパンクチャされるシンボルがあるだけでよい。いくつのシンボルをパンクチャするか（例えば、１個または２個）の決定は、ＬＴＥフレーム中のＵｐＰＴＳフィールドの長さに基づいて行なわれてもよい。
【００４９】
上記において図示したように、本開示のある実施形態は、５ｍのスイッチング周期を有する、０番目、１番目、および２番目のコンフィギュレーションにおけるＬＴＥ−ＴＤＤフレームと隣接チャネル中で共存させるための、ＩＥＥＥ８０２．１６ｍ標準規格におけるフレーム用の、フレームオフセットとＤＬ：ＵＬのサブフレーム比とを提供している。図６中で示したＬＴＥ−ＴＤＤコンフィギュレーション３−６におけるような、ＬＴＥフレームの１０ｍｓのスイッチング周期を有するコンフィギュレーションに対して、類似したアイディアを使用することができる。いくつかの実施形態では、ＬＴＥフレーム構造における長さ５ｍｓの各ハーフフレームに対して、長さ５ｍｓの適切なＩＥＥＥ８０２．１６ｍフレーム構造を選ぶことができる。
【００５０】
上記で論じたいくつかのＬＴＥ ＴＤＤコンフィギュレーションは、無線フレームの各ハーフ（例えば、５ｍｓフレーム）において異なるパターンを持っていることから、パンクチャリングを最小化するために、使用されるＩＥＥＥ８０２．１６ｍフレーム構造は、連続する５ｍｓフレームにおいて異なることがあることに留意すべきである。代替として、または、追加として、２個の５ｍｓ期間に対してパンクチャされる総シンボルの合計を最小化するように、ＩＥＥＥ８０２．１６ｍに対して固定のＴＤＤ比が選ばれてもよい。
【００５１】
上述した方法のさまざまな動作は、図面中に図示したミーンズプラスファンクションブロックに対応する、さまざまなハードウェアおよび／またはソフトウェアのコンポーネントならびに／あるいはモジュールによって実行してもよい。例えば、図７中に図示したブロック７０２〜７０６は、図７Ａ中に図示したミーンズプラスファンクション７０２Ａ〜７０６Ａに対応している。さらに一般的には、図面中に図示されている方法が、対応するよく似たミーンズプラスファンクションを持つ場合、動作ブロックは、類似したナンバリングを有するミーンズプラスファンクションブロックに対応する。
【００５２】
本開示と関連して述べたさまざまな例示的な論理ブロック、モジュール、および回路は、汎用プロセッサ、デジタル信号プロセッサ（ＤＳＰ）、特定用途向け集積回路（ＡＳＩＣ）、現場プログラム可能ゲートアレイ信号（ＦＰＧＡ）または他のプログラム可能論理デバイス、ディスクリートゲートまたはトランジスタ論理、ディスクリートハードウェアコンポーネント、あるいは、ここに述べた機能を実行するように設計されているこれらの任意の組み合わせたものにより、実現または実行してもよい。汎用プロセッサはマイクロプロセッサであってもよいが、代替実施形態では、プロセッサは、任意の商業上利用可能なプロセッサ、制御装置、マイクロ制御装置、または状態機械であってもよい。プロセッサはまた、例えば、ＤＳＰおよびマイクロプロセッサを組み合わせたものや、複数のマイクロプロセッサや、ＤＳＰコアを伴う１つ以上のマイクロプロセッサや、任意のその他のこのような構成のような、コンピューティングデバイスを組み合わせたものとして実現してもよい。
【００５３】
本開示に関連して述べた方法またはアルゴリズムのステップは、ハードウェアで、プロセッサにより実行されるソフトウェアモジュールで、あるいは、双方を組み合わせたもので直接的に具現化してもよい。ソフトウェアモジュールは、技術的に知られている何らかの形態の記憶媒体に存在していてもよい。使用できる記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭなどを含む。ソフトウェアモジュールは、単一の命令、または、多くの命令を備えていてもよく、いくつかの異なるコードセグメント上で、異なるプログラムの間で、および、複数の記憶媒体を介して、分配してもよい。記憶媒体は、プロセッサが記憶媒体から情報を読み取り、記憶媒体に情報を書き込むことができるようにプロセッサに結合してもよい。代替実施形態では、記憶媒体はプロセッサと一体化してもよい。
【００５４】
ここで開示した方法は、述べた方法を達成するための１つ以上のステップまたはアクションを含んでいる。方法ステップおよび／またはアクションは、特許請求の範囲から逸脱することなく、別のものに入れ替えてもよい。言い換えると、ステップまたはアクションの特定の順序が指定されない限り、特定のステップおよび／またはアクションの、順序および／または使用は、特許請求の範囲から逸脱することなく、改良してもよい。
【００５５】
記述した機能は、ハードウェアで、ソフトウェアで、ファームウェアで、または、これらのものを組み合わせた任意のもので実現してもよい。ソフトウェアで実現された場合、機能は、１つ以上の命令として、コンピュータ読取可能媒体上に記憶させてもよい。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを伝送または記憶するために使用できる他の何らかの媒体を含んでいてもよい。ここで使用したようなディスク（ｄｉｓｋおよびｄｉｓｃ）は、コンパクトディスク（ＣＤ）、レーザディスク（登録商標）、光ディスク、デジタル汎用ディスク（ＤＶＤ）、フロッピー（登録商標）ディスク、ブルーレイディスク（登録商標）を含むが、一般的に、ディスク（ｄｉｓｋ）は、データを磁気的に再生する一方で、ディスク（ｄｉｓｃ）はデータをレーザによって光学的に再生する。
【００５６】
ソフトウェアまたは命令はまた、送信媒体を通して送信してもよい。例えば、ソフトウェアが、ウェブサイト、サーバ、あるいは同軸ケーブルや、光ファイバケーブルや、撚り対や、デジタル加入者線（ＤＳＬ）、あるいは赤外線、無線、およびマイクロ波のようなワイヤレス技術を使用している他の遠隔ソースから送信された場合、同軸ケーブル、光ファイバケーブル、撚り対、ＤＳＬ、あるいは赤外線、無線、およびマイクロ波のようなワイヤレス技術は、送信媒体の定義に含まれる。
【００５７】
さらに、ここで述べた方法および技術を実行する、モジュールおよび／または他の適切な方法は、ダウンロードすることができ、あるいは／ならびに、そうでなければ、ユーザ端末および／または基地局により、適用可能に取得することができる。例えば、このようなデバイスは、サーバに結合することができ、ここで述べた方法を実行する手段の転送を容易にする。代わりに、ここで述べたさまざまな方法は、記憶手段（例えば、ＲＡＭ、ＲＯＭ、コンパクトディスク（ＣＤ）やフロッピーディスクなどのような物理的な記憶媒体）を通して提供でき、それにより、ユーザ端末および／または基地局は、記憶手段をデバイスに結合または提供すると、さまざまな方法を取得することができる。さらに、ここで述べた方法および技術をデバイスに提供する他の任意の適した技術を利用することができる。
【００５８】
特許請求の範囲は、上記で図示した厳密な構成およびコンポーネントに限定されるものではないことを理解すべきである。上述した方法および装置の、配置、動作、および詳細において、特許請求の範囲から逸脱することなく、さまざまな改良、変更、バリエーションを行うことができる。
以下に、本願出願時の特許請求の範囲に記載された発明を付記する。
［１］隣接チャネル中での、第１および第２の無線アクセス技術（ＲＡＴ）の共存をサポートするための方法において、
サブフレームの境界と、ダウンリンク対アップリンク（ＤＬ：ＵＬ）のサブフレーム比と、スイッチング周期とを含む前記第１のＲＡＴのフレーム構造を決定することと、
前記スイッチング周期の場合に、前記第２のＲＡＴにおいてパンクチャされるシンボルの対応する結果として得られる数に少なくとも部分的に基づいて、前記第２のＲＡＴにおける、フレームオフセットとＤＬ：ＵＬのサブフレーム比とを選択することと、
前記選択したフレームオフセットとサブフレーム比とにより、前記第２のＲＡＴにおいて、フレームを送信することとを含む方法。
［２］前記第２のＲＡＴにおいてパンクチャされるシンボルの数を最小化するように、前記第２のＲＡＴにおける、前記フレームオフセットとＤＬ：ＵＬのサブフレーム比とが選択される［１］記載の方法。
［３］前記第２のＲＡＴは、米国電気電子学会（ＩＥＥＥ）８０２．１６ｍを含む［２］記載の方法。
［４］前記第１のＲＡＴは、進化ＵＭＴＳ（ユニバーサルモバイルテレコミュニケーションシステム）地上無線アクセス（Ｅ−ＵＴＲＡ）、または、ロングタームエボリューション−時分割デュプレクス（ＬＴＥ−ＴＤＤ）を含む［１］記載の方法。
［５］後続する送信に対する、前記第１のＲＡＴの異なるフレーム構造を決定することをさらに含む［１］記載の方法。
［６］隣接チャネル中での、第１および第２の無線アクセス技術（ＲＡＴ）の共存をサポートする装置において、
サブフレームの境界と、ダウンリンク対アップリンク（ＤＬ：ＵＬ）のサブフレーム比と、スイッチング周期とを含む前記第１のＲＡＴのフレーム構造を決定する論理と、
前記スイッチング周期の場合に、前記第２のＲＡＴにおいてパンクチャされるシンボルの対応する結果として得られる数に少なくとも部分的に基づいて、前記第２のＲＡＴにおける、フレームオフセットとＤＬ：ＵＬのサブフレーム比とを選択する論理と、
前記選択したフレームオフセットとサブフレーム比とにより、前記第２のＲＡＴにおいて、フレームを送信する論理とを具備する装置。
［７］前記第２のＲＡＴにおいてパンクチャされるシンボルの数を最小化するように、前記第２のＲＡＴにおける、前記フレームオフセットとＤＬ：ＵＬのサブフレーム比とが選択される［６］記載の装置。
［８］前記第２のＲＡＴは、米国電気電子学会（ＩＥＥＥ）８０２．１６ｍを含む［７］記載の装置。
［９］前記第１のＲＡＴは、進化ＵＭＴＳ（ユニバーサルモバイルテレコミュニケーションシステム）地上無線アクセス（Ｅ−ＵＴＲＡ）、または、ロングタームエボリューション−時分割デュプレクス（ＬＴＥ−ＴＤＤ）を含む［６］記載の装置。
［１０］前記フレーム構造を決定する論理は、後続する送信に対する、前記第１のＲＡＴの異なるフレーム構造を決定する［６］記載の装置。
［１１］隣接チャネル中での、第１および第２の無線アクセス技術（ＲＡＴ）の共存をサポートする装置において、
サブフレームの境界と、ダウンリンク対アップリンク（ＤＬ：ＵＬ）のサブフレーム比と、スイッチング周期とを含む前記第１のＲＡＴのフレーム構造を決定する手段と、
前記スイッチング周期の場合に、前記第２のＲＡＴにおいてパンクチャされるシンボルの対応する結果として得られる数に少なくとも部分的に基づいて、前記第２のＲＡＴにおける、フレームオフセットとＤＬ：ＵＬのサブフレーム比とを選択する手段と、
前記選択したフレームオフセットとサブフレーム比とにより、前記第２のＲＡＴにおいて、フレームを送信する手段とを具備する装置。
［１２］前記第２のＲＡＴにおいてパンクチャされるシンボルの数を最小化するように、前記第２のＲＡＴにおける、前記フレームオフセットとＤＬ：ＵＬのサブフレーム比とが選択される［１１］記載の装置。
［１３］前記第２のＲＡＴは、米国電気電子学会（ＩＥＥＥ）８０２．１６ｍを含む［１２］記載の装置。
［１４］前記第１のＲＡＴは、進化ＵＭＴＳ（ユニバーサルモバイルテレコミュニケーションシステム）地上無線アクセス（Ｅ−ＵＴＲＡ）、または、ロングタームエボリューション−時分割デュプレクス（ＬＴＥ−ＴＤＤ）を含む［１１］記載の装置。
［１５］前記フレーム構造を決定する手段は、後続する送信に対する、前記第１のＲＡＴの異なるフレーム構造を決定する［１１］記載の装置。
［１６］隣接チャネル中での、第１および第２の無線アクセス技術（ＲＡＴ）の共存をサポートするためのコンピュータプログラムプロダクトおいて、
その上に記憶されている命令を有するコンピュータ読取可能媒体を具備し、
前記命令は、１つ以上のプロセッサにより実行可能であり、
前記命令は、
サブフレームの境界と、ダウンリンク対アップリンク（ＤＬ：ＵＬ）のサブフレーム比と、スイッチング周期とを含む前記第１のＲＡＴのフレーム構造を決定するための命令と、
前記スイッチング周期の場合に、前記第２のＲＡＴにおいてパンクチャされるシンボルの対応する結果として得られる数に少なくとも部分的に基づいて、前記第２のＲＡＴにおける、フレームオフセットとＤＬ：ＵＬのサブフレーム比とを選択するための命令と、
前記選択したフレームオフセットとサブフレーム比とにより、前記第２のＲＡＴにおいて、フレームを送信するための命令とを含むコンピュータプログラムプロダクト。
［１７］前記第２のＲＡＴにおいてパンクチャされるシンボルの数を最小化するように、前記第２のＲＡＴにおける、前記フレームオフセットとＤＬ：ＵＬのサブフレーム比とが選択される［１６］記載のコンピュータプログラムプロダクト。
［１８］前記第２のＲＡＴは、米国電気電子学会（ＩＥＥＥ）８０２．１６ｍを含む［１７］記載のコンピュータプログラムプロダクト。
［１９］前記第１のＲＡＴは、進化ＵＭＴＳ（ユニバーサルモバイルテレコミュニケーションシステム）地上無線アクセス（Ｅ−ＵＴＲＡ）、または、ロングタームエボリューション−時分割デュプレクス（ＬＴＥ−ＴＤＤ）を含む［１６］記載のコンピュータプログラムプロダクト。
［２０］前記命令は、後続する送信に対する、前記第１のＲＡＴの異なるフレーム構造を決定するための命令をさらに含む［１６］記載のコンピュータプログラムプロダクト。
【図１】
0005301678.tif 000002
【図２】
0005301678.tif 000003
【図３】
0005301678.tif 000004
【図４】
0005301678.tif 000005
【図５】
0005301678.tif 000006
【図６】
0005301678.tif 000007
【図７】
0005301678.tif 000008
【図７Ａ】
0005301678.tif 000009
【図８】
0005301678.tif 000010
【図９】
0005301678.tif 000011
【図１０】
0005301678.tif 000012